(57)【特許請求の範囲】
【請求項１】
クレーンにより吊り下げられ、解体時の塔状構造物の周囲を覆って上下方向に延びる養生用筒状体において、
前記塔状構造物を囲う環状に形成され、上下方向に所定間隔を存して配設された複数の枠部材と、上下に隣合う枠部材同士を連結する撓み自在の連結部材と、上下に隣合う枠部材に上下端が連結され、両枠部材間の間隔よりも上下方向の幅寸法が大とされた筒状の膜部材とを備え、
前記膜部材は、前記連結部材の外側に位置し、該連結部材に対して移動自在に設けられていることを特徴とする養生用筒状体。
【請求項２】
前記枠部材は周方向に複数個に分割自在とされ、
前記連結部材と前記膜部材とは夫々前記枠部材に対して着脱自在に連結されていることを特徴とする請求項１記載の養生用筒状体。
【発明の詳細な説明】
【技術分野】
【０００１】
本発明は、塔状構造物を解体するときに塔状構造物の周囲を覆う養生用筒状体に関する。
【背景技術】
【０００２】
塔状構造物の解体においては、破砕機により塔状構造物の上端部から下方に向かって順に破砕することが行われる。この場合、破砕機によって破砕される塔状構造物の被破砕部からは粉塵や破砕片が発生し、これらが周囲に飛散する可能性がある。そこで、特許文献１に見られるように、解体時の塔状構造物を全長にわたって覆う養生用の筒状体を設けて、粉塵や破砕片の周囲への飛散を防止したものが知られている。この筒状体は、布製の膜部材により構成することで軽量化が図れ、上方から吊り下げられた状態で塔状構造物を覆うことができるから足場等が不要となって構造簡単である。
【０００３】
しかし、塔状構造物に沿って上方から吊り下げられた膜部材には、その自重によって下方から張力が付与される。そして、この張力によって張りを持った膜部材は柔軟性が低く、破砕片が接触した際にはその衝撃を十分に吸収できないために、破れ等の損傷が生じ易くなる不都合がある。
【特許文献１】特開平４−７６１６６号公報
【発明の開示】
【発明が解決しようとする課題】
【０００４】
本発明は、以上の点に鑑み、吊り下げ状態の膜部材にその自重による張力が付与されることを確実に防止し、膜部材の柔軟性を維持してその損傷を防止することができる養生用筒状体を提供することをその課題としている。
【課題を解決するための手段】
【０００５】
上記課題を解決するために、本発明は、クレーンにより吊り下げられ、解体時の塔状構造物の周囲を覆って上下方向に延びる養生用筒状体において、前記塔状構造物を囲う環状に形成され、上下方向に所定間隔を存して配設された複数の枠部材と、上下に隣合う枠部材同士を連結する撓み自在の連結部材と、上下に隣合う枠部材に上下端が連結され、両枠部材間の間隔よりも上下方向の幅寸法が大とされた筒状の膜部材とを備え、前記膜部材は、前記連結部材の外側に位置し、該連結部材に対して移動自在に設けられていることを特徴とする。
【０００６】
本発明によれば、各枠部材間に設けられた前記連結部材が、吊り下げ状態での筒状体の自重を受けるので、前記膜部材に筒状体の自重による張力が付与されることはない。しかも、各膜部材の上下方向の幅寸法は、上下に隣合う枠部材の間隔よりもが大とされているので、各膜部材に適度な弛みを形成することができ、膜部材の柔軟性を維持することができる。従って、膜部材に破砕片が当たっても膜部材に大きな衝撃力は作用せず、膜部材の破損が有効に防止される。
【０００７】
更に、塔状構造物の上端部から下方に向かって順に破砕されて解体が進行すると、塔状構造物は低くなり、それに追従させるために、クレーンにより養生用筒状体を下降させる。このとき、本発明では、前記連結部材が撓み自在であるため、着地部分における枠部材間の狭まりが阻害されることなく、解体が進行した塔状構造物の高さに容易に筒状体の長さを対応させることができる。
【０００８】
また、本発明においては、前記枠部材は周方向に複数個に分割自在とされ、前記連結部材と前記膜部材とは夫々前記枠部材に対して着脱自在に連結されていることが望ましい。これによれば、塔状構造物の下端での筒状体の組み立て及び分解が容易となり、解体作業に伴う筒状体の準備と撤去とを円滑且つ迅速に行うことができる。しかも、前述した通り、本発明の筒状体は、膜部材の破損が防止されているので再利用が可能となり、環境保護及びコスト削減に有効である。
【発明を実施するための最良の形態】
【０００９】
本発明の一実施形態を図面に基づいて説明する。本実施形態の養生用筒状体１は、図１に示すように、塔状構造物である煙突Ｗを解体するときに、一対の第１クレーン２により吊り下げられて煙突Ｗの周囲を全長にわたって覆う。煙突Ｗの解体は、第２クレーン３により煙突Ｗの上方に吊り下げられた破砕機４により行なわれる。破砕機４は、連結軸５を支点として開閉する一対の破砕腕６，７を備えている。破砕腕６，７は少なくとも一方に刃部を備え、破砕腕６，７を閉じることによって煙突Ｗの上端を破砕する。破砕腕６，７は旋回軸８を介して上方にある破砕機本体９に連結されている。破砕機本体９には、図示しないが、破砕腕６，７の旋回や破砕腕６，７の開閉を駆動する動力源やその動作を無線通信により遠隔操作するための通信機等が収納されている。
【００１０】
養生用筒状体１は、図１及び図２に示すように、複数の枠部材を備えている。このうち、最上部の枠部材（筒状枠部材１０）は金属板等の硬質材料により上下端が開放された円筒状に形成され、破砕機４によって破砕される煙突Ｗの被破砕部ａを囲って遮風する。他の複数の枠部材（環状枠部材１１）は金属製棒又は金属製パイプ等によりリング状に形成されており、上下方向に間隔を存して配列されている。各枠部材１０，１１は連結ワイヤ１２（連結部材）により連結され、各枠部材１０，１１の間には布製の円筒状の膜部材１３が設けられている。連結ワイヤ１２は、環状枠部材１１の周方向に所定間隔を存して複数設けられており、膜部材１３は各枠部材１０，１１の間に一つずつ設けられている。また、膜部材１３は、各枠部材１０，１１の間隔（又は、連結ワイヤ１２の長さ）よりも上下方向の幅寸法が大とされており、僅かな弛みをもって各枠部材１０，１１間に取り付けられている。
【００１１】
環状枠部材１１は、図示しないが、円弧状の部材を複数つないで環状に形成されていることにより分解と組み立てが行なえるようになっている。筒状枠部材１０も、湾曲する複数の板材をつなぐことで筒状に形成されているものであり、分解と組み立てが行なえるようになっている。図２に示すように、連結ワイヤ１２は、その両端に設けられた留め具１４によって解除自在の掛け輪１２ａが形成され、これによって各枠部材１０，１１からの取外しが自在とされている。また、膜部材１３は、上下の両端が各枠部材１０，１１に紐等の連結具１５により結び付けられており、各枠部材１０，１１から容易に取り外すことができる。なお、膜部材１３は、矩形状の布材の両端を重合させて紐等により継ぎ留められており、分解時には矩形状にすることができるようになっている。
【００１２】
また、養生用筒状体１は、図１に示すように、複数本（３本以上が好ましい）のロープ１６からなる係留手段を備えており、横方向の移動が規制されている。各ロープ１６は上端が筒状枠部材１０に連結され、下端が地面に固定されたアンカ１７に長さ調節自在に繋ぎとめられている。各ロープ１６は、筒状枠部材１０の上端に周方向に同一間隔を存して連結され、互いに離間しつつ下方に延びる。こうすることにより、筒状枠部材１０は、横方向から強風を受けても大きく揺れることはなく、養生用筒状体１の姿勢を安定させることができる。
【００１３】
煙突Ｗの解体に際しては、先ず、養生用筒状体１を煙突Ｗの地上側基部の周囲で該基部を囲うよう組み立てた後に、第１クレーン２により煙突Ｗの上端外周まで吊り上げる。このとき、養生用筒状体１は構造簡単であり比較的軽量であるため、解体作業に先立って行われる準備作業に手間はかからない。
【００１４】
続いて、第２クレーン３により煙突Ｗの上方に吊り下げられた破砕機４により煙突Ｗをその上端から破砕する。そして、破砕の進行に応じて、旋回軸８を介して破砕腕６，７を煙突Ｗの周方向に旋回させ、煙突Ｗを上端から下方に向けて順に螺旋状に解体していく。また、破砕機４による煙突Ｗの破砕が進むにつれて被破砕部ａの位置が下方に移動するので、第２クレーン３により破砕機４を下降させ、それと同時に、第１クレーン２により養生用筒状体１を下降させて被破砕部ａが筒状枠部材１０の上下方向範囲内に収まる状態を維持させる。この際、係留手段としての各ロープ１６は、第１クレーン２により養生用筒状体１を下降させたときに弛みが生じるので、この弛みを取り除くために、各ロープ１６の長さの調節作業が適宜行われる。
【００１５】
このように、煙突Ｗは、養生用筒状体１により囲われた状態で解体が進められるので、被破砕部ａから粉塵や破砕片が発生しても養生用筒状体１の外側に飛散することはない。しかも、養生用筒状体１は、各枠部材１０，１１間が連結ワイヤ１２により連結されて各枠部材１０，１１間の間隔寸法が保持され、各枠部材１０，１１間に設けられた膜部材１３は自重により下方に引っ張られることがないので、膜部材１３に破砕片が当たっても膜部材１３に大きな衝撃力は作用せず、膜部材１３の破損を防止することができる。そして、連結ワイヤ１２は撓み自在であるので、煙突Ｗの解体が進んで養生用筒状体１を下降させたとき、地上に接した着地部分の枠部材１１間の間隔を円滑に狭めることができ、養生用筒状体１の長さ（高さ）を、解体が進行した煙突Ｗの高さに確実に対応させることができる。
【００１６】
以上、本発明の実施形態について図面を参照して説明したが、本発明はこれに限定されない。例えば、本実施形態においては、養生用筒状体１を破砕機４を吊り下げる第２クレーン３とは別の第１クレーン２により吊り下げた例を示したが、養生用筒状体１は、ワイヤー等により破砕機本体９に吊設することもできる。
【図面の簡単な説明】
【００１７】
【図１】本発明の実施形態の養生用筒状体を示す説明図。
【図２】本実施形態の養生用筒状体の要部を示す説明図。
【符号の説明】
【００１８】
Ｗ…煙突（塔状構造物）、１…養生用筒状体、２…第１クレーン（クレーン）、１１…環状枠部材（枠部材）、１２…連結ワイヤ（連結部材）、１３…膜部材。
【図１】
0005320537.tif 000002
【図２】
0005320537.tif 000003